(57)【要約】【課題】足場側の複数枚連設した大型型枠をコンクリート固化後、コーンカップ２１と鞘管２２を残置した状態でセパレータ１８を抜取り、前記大型型枠を上部階に移設する。【解決手段】前述の課題により、足場４２側の型枠１aにバタ材締着金具Ａ型５ａを固定した前記型枠１aを連設し、前記型枠１aの背面を支持する横バタ材４を締着してなる大型型枠３１の反対側の型枠１ｂ背面を支持する横バタ材４とバタ材締付金具２４ａを取外し、前記セパレータ１８を回転させて抜取ることで該大型型枠３１はコンクリート躯体から分離する、その大型型枠３１を一括して上部階などに移設する。もって、横バタ材４が締着した状態でクレーン等の吊上げ機械を用いて移設することにより、足場上での作業において、重くて長い横バタ材４の取付け取外し作業を省略することを可能にする大型型枠移設工法。【選択図】図１
2011184951.tif 000002
【特許請求の範囲】
【請求項１】
対向するコンクリート型枠せき板（２）間を支持するためのコンクリート型枠バタ材締着金具（５）であって、
丸鋼軸部の両端部に設けた雄ネジ（１９）の先端部にボックスドライバー等の回し工具が嵌着する多角形状の係合部（２０）を形成したセパレータ（１８）と、
前記セパレータに挿着されるコーンカップ（２１）および鞘管（２２）と、
横バタ材（４）を支持し、型枠せき板（２）に取り付くバタ受け部材（１１）と、
前記横バタ材（４）を締付支持するバタ材締付軸部Ａ型（６ａ）またはバタ材締付軸部Ｂ型（６ｂ）と、を備え、
前記バタ受け部材（１１）は、平鋼を略Ｌ字形状に屈曲形成した垂直部（１２）と水平部（１３）からなり、その垂直部（１２）にセパレータ（１８）の貫通する孔（１４）を設け、その孔の上部および下部に、型枠せき板（２）に固定する略長孔瓢箪形状の固定孔（１５）を設け、前記垂直部（１２）から延長する９０度に屈曲形成してなる水平部（１３）に、該水平部（１３）に横バタ材（４）が載置するため、該水平部（１３）に横バタ材（４）の滑り落を防止する上向きの折曲突起（１６）を末端部に形成する。
前記バタ材締付軸部Ａ型（６ａ）は、丸鋼軸部の頭部（７）先端に前記セパレータ（１８）に設けた雄ネジ（１９）を螺合する雌ネジを設け、前記頭部（７）の後退部に型枠１a背部を支持する横バタ材（４）を押圧する座金（９）を、該座金（９）を押圧するためのナット（１０ａ）を螺合する雄ネジを設け、その雄ネジにナット（１０ａ）を螺着し、末端部にナット（１０ａ）の外れ防止の圧搾突起を形成する、また、前記頭部（７）先端に前記バタ受け部材（１１）に固定する鍔（８）を成型する。
前記バタ材締付軸部Ｂ型（６ｂ）は、所定の長さを有する丸鋼軸部の頭部（７）先端に前記セパレータ（１８）に設けられた雄ネジ（１９）を螺合する雌ネジを設け、その後退部に型枠１a背部を支持する横バタ材（４）を押圧する、前記クサビ１０ｂが嵌挿するスリット状の透孔２６を形成し、末端の残部でクサビ１０ｂの背部を支持する、また、前記頭部（７）先端に前記バタ受け部材（１１）に固定する鍔（８）を成型する。
そして、前記バタ受け部材（１１）に設けられたセパレータ（１８）が貫通する孔（１４）心と前記バタ材締付軸部Ａ型（６ａ）またはバタ材締付軸部Ｂ型（６ｂ）の頭部（７）先端に設けられた鍔（８）の、該鍔（８）の円軸心と前記バタ受け部材（１１）のセパレータ（１８）が貫通する孔（１４）心を合致させて溶着固定する。
すなわち、バタ材締着金具Ａ型（５ａ）は、前記バタ受け部材（１１）にバタ材締付軸部Ａ型（６ａ）が固定した形態であり、バタ材締着金具Ｂ型（５ｂ）は、前記バタ受け部材（１１）にバタ材締付軸部Ｂ型（６ｂ）が固定した形態であり、前記バタ受け部材（１１）が型枠せき板（２）に固定することで、セパレータ（１８）のネジ回し作業による該セパレータ（１８）の空転を防止する。
もって、対向する片方側の型枠（１ｂ）に固定された横バタ材（４）とバタ材締付金具（２４ａ）またはバタ材締付金具（２４ｂ）を取外し、その前記型枠（１ｂ）と対峙する型枠（１a）、つまり、背部に横バタ材（４）を締着した該型枠（１a）およびコーンカップ（２１）と鞘管（２２）を、残置した状態で前記セパレータ（１８）を回転させて抜取ることを可能としたことを特長するバタ材締着金具Ａ型（５ａ）およびバタ材締着金具Ｂ型（５ｂ）。
【請求項２】
前記バタ受け部材（１１）にあって、所定の長さを有す、平鋼を略Ｌ字形状に屈曲形成した、垂直部（１２）と水平部（１３）からなる、前記垂直部（１２）にセパレータ（１８）の貫通する孔（１４）を設け、前記孔（１４）の上部および下部に略長孔瓢箪形状の固定孔（１５）を形成する、該固定孔（１５）は、ボルトまたは木ネジ等の固定部材（１７）により型枠せき板（２）に固定される。
前記略長孔瓢箪形状の固定孔（１５）は、前記バタ受け部材（１１）を上方に移動することで取外しを可能にするため下方の孔は、固定部材（１７）の頭部が出入りできる大きさにする。
そして、前記垂直部（１２）から延長してなる水平部（１３）に横バタ材（４）を載置し、該横バタ材（４）の背部に、前記横バタ材（４）を締付けるクサビ（１０ｂ）を嵌入打圧することで下方に移動するクサビ（１０ｂ）の先端を受入れる開先口（２７ａ）を略コ字形状に切取り落とし、前記開先口（２７ａ）の末端部に前記横バタ材（４）の転落を防止するための折曲突起（１６）を形成する、前記クサビ（１０ｂ）の先端を受入れる開先口（２７ａ）の口元部（２７ｂ）は、横バタ材（４）とクサビ（１０ｂ）が擦りあう面側と前記口元部（２７ｂ）が接触するようにする。
すなわち、下の横バタ材（４）が無くてもバタ受け部材（１１）の口元部（２７ｂ）がクサビ（１０ｂ）の加圧に対して抵抗することで前記クサビ（１０ｂ）は安定を維持する。
もって、前記バタ受け部材（１１）にクサビ（１０ｂ）の先端を受入れる開先口（２７ａ）を形成したことと、前記バタ受け部材（１１）の垂直部（１２）に、型枠せき板（２）に取り付ける略長孔瓢箪形状の固定孔（１５）を設けたことを特徴とする請求項１記載のバタ材締着金具Ａ型（５ａ）またはバタ材締着金具Ｂ型（５ｂ）。
【請求項３】
前記一対のコーンカップ（２１）は、外観が円錐台形状で内部は末口部の一部を残し略Ｕ字形状に刳り貫かれ前記末口部には前記セパレータが貫通する貫通口をもうけ、元口部の縁周り内方に掛止タブ（２３）をもうけられていることを特徴とする請求項１記載のバタ材締着金具Ａ型（５ａ）およびバタ材締着金具Ｂ型（５ｂ）。
【請求項４】
対向するコンクリート型枠せき板（２）間を支持するためのコンクリート型枠のセパレータ（１８）抜取り式の大型型枠移設工法にあって、請求項１記載のバタ材締着金具Ａ型（５ａ）またはバタ材締着金具Ｂ型（５ｂ）により組立てた、足場（４２）側に連設する型枠（１a）の、該型枠（１a）の背面を支持する横バタ材（４）を前記バタ材締着金具Ａ型（５ａ）またはバタ材締着金具Ｂ型（５ｂ）により締着してなる大型型枠（３１）の、該大型型枠の反対側の型枠（１ｂ）背部に固定する前記横バタ材（４）とバタ材締付金具（２４ａ）またはバタ材締付金具（２４ｂ）を取外し、対向する型枠間を支持するセパレータ（１８）抜取る、つまり、記横バタ材（４）を締着した大型型枠およびコーンカップ（２１）と鞘管（２２）を残置した状態で前記セパレータを抜取ることで、前記大型型枠（３１）はコンクリート躯体から分離する、そして、分離した前記大型型枠（３１）を一括して吊上げ、上部階または水平部の所定の位置に移設することを可能にする。
もって、型枠（１a）とバタ材締着金具Ａ型（５ａ）またはバタ材締着金具Ｂ型（５ｂ）と横バタ材（４）が締着した大型型枠（３１）を、コーンカップ（２１）と鞘管（２２）を残置した状態で前記セパレータを抜取ることを可能にし、それにより、セパレータを抜取ることで大型型枠（３１）をコンクリート躯体から分離する、その大型型枠（３１）を一括して移設することを特徴とするセパレータ抜取り式の大型型枠移設工法。
【発明の詳細な説明】
【技術分野】
【０００１】
本発明は、コンクリート型枠の組立てに用いるコンクリートバタ材締着金具および大型型枠移設工法に関するものである。
【背景技術】
【０００２】
コンクリート構造物である壁体の施工時におけるコンクリートの打設に際しては、構造物の骨格として補強材となる鉄筋の配筋が完了したのち、その両側にコンクリート型枠（以下、単に型枠と言うことがある。）をそれぞれ連設し、対向するコンクリート型枠間の所要間隔を維持するようにセパレータ部材を配置するとともに、前記セパレータ部材により対向するコンクリート型枠の隔間を支持し、さらに、コンクリート型枠の背面を支持する横バタ材を配置固定する。このようにして構築されたコンクリート型枠間にコンクリートを供給する（流し込む）ことによりコンクリート構造物の施工が行われる。
【０００３】
前述する横バタ材については、外径が４８．６ｍｍの丸鋼管（以下、単に単管と言うこともある。）または角鋼管等をフォームタイ（登録商標）等のバタ材締付金具の上下に配置することで応力の均衡を保ち安定を支持する方法が一般的に採用されている。
【０００４】
前述するコンクリート型枠の構築に際して使用されるセパレータ部材には概ね３種類の形態のもの、即ち、軸部が丸鋼のセパレータ、軸部が薄板の板セパレータ、軸部が平鋼の板状セパレータが存在するが、これらのセパレータ部材はコンクリート型枠の形態によって、あるいは、施行者の設計によって使い分けが行われ、また、従来から多用されるコンクリート型枠としては、コンクリート型枠の製作の容易さ、コンクリート型枠同士を連結するために釘打ち等による作業の簡便性、コンクリート型枠が木質で軽量であることに由来する施工時における運搬、ハンドリング等の取り扱いが容易であることなどの理由から、せき板木質合板（以下、単にコンパネと言うことがある。）に桟木あるいは鋼製リブ等のフレームを固定したコンクリート型枠が多用されている。
【０００５】
このようにコンクリート型枠が木質系である場合、例えば、特開２００５−６１１２６号公報の図２あるいは、特開２０００−２７４３４号公報の図３、図６に一例を示すところ、ネジ杆あるいは単にセパレータと言う軸部が丸棒状のセパレータ部材が使用され、鉄筋の配筋を挟んで対向して配置されるコンクリート型枠のせき板にそれぞれ所要ピッチでドリルによって穿孔したセパ孔を設けたコンクリート型枠を連設し、隣接するコンクリート型枠を釘あるいは挟着金具等により連結した後、前記セパ孔にコーン（コーンカップに雌ネジと雄ネジを要するネジ接合軸が嵌着する。）を螺着したセパレータを嵌挿し、突出するコーンの雄ネジにバタ材締付金具（フォームタイ（登録商標）等）を前記ネジに螺止固定し、さらに、バタ材締付金具にコンクリート打設時にコンクリート型枠に作用するコンクリートの荷重を支持する横バタ材を前記バタ材締付金具の上下に配置固定し、前記バタ材締付金具のバタ材締付軸部Ａ型に具備するナットまたはクサビにより締付固定するコンクリート型枠の締結方法ら一般的に採用されている。
【０００６】
建築の形態によっては、無足場工法として複数枚の外部側のコンクリート型枠を連設した大型型枠の状態で上部階に移設（盛変え）するために、前記大型型枠の縦バタ材に用意された、セパレータの雄ネジと螺合する雌ネジを形成した金具に、前記セパレータの雄ネジを螺止固定し、該セパレータに鞘管（スリーブ管）を挿入し、次いで、対向する相手側のコンクリート型枠せき板に設けたセパレータの孔（以下、単にセパ孔と言うこともある。）に合致させて型枠を配置し、次いで、前記セパレータを型枠せき板に設けたセパ孔に差し込むことで突出するセパレータの雄ネジにバタ材締付金具を螺止固定し、該バタ材締付金具の上下に横バタ材を配置し、締付固定する、そして、コンクリートを流し込み、コンクリート固化後、内部側のコンクリート型枠を解体し、セパレータを抜取ることで分離する大型型枠を上部階に吊上げて移設する方法が一般的に採用されている。
その方法は、隣接する外壁間の距離が狭い場合、すなわち、足場のスペースが確保できない場合には、特に効果的である。しかし、コンクリート型枠解体後において、コンクリート止水処理のため、鞘管（スリーブ管）を抜取る作業に手間がかかることと、鞘管（スリーブ管）抜取後の孔がストレートのため、止水栓の嵌着が困難な欠点がある。
【０００７】
図１０を参照して、従来から使用されているバタ材締付金具（２４ｃ）の使用状態の一例について説明する。
バタ材締付金具（２４ｃ）の使用状態は、コンクリート構造物を形成する対向する型枠、すなわち、型枠（１a）と型枠（１ｂ）を支持するセパレータ（２８）と、前記セパレータ（２８）の雄ネジに螺止固定するコーン（２９）のネジ接合軸（３０）と、前記コーン（２９）のネジ接合軸（３０）に螺止固定するバタ材締付金具（２４ｃ）、により横バタ材を締結する方法が一般的に採用されている。
【０００８】
前述するバタ材締付金具（２４ｃ）の使用方法では、止水栓を嵌込む受口を形成するコーンの、該コーンにより、躯体面の一部を盗み取るためのコーン（２９）の、該コーンネジ接合軸（３０）の雄ネジが型枠せき板（２）のセパ孔から突出して絡み付くため前記型枠せき板（２）が剥がれにくい、そのため、該型枠せき板（２）の損傷が激しいことと型枠解体作業に手間がかかる欠点がある。
【０００９】
図１０、図１１、図１２を参照して従来の大型型枠移設工法の一例について説明する。
対向するコンクリート型枠の足場側の型枠（１ａ）にあって、複数枚の型枠（１ａ）が連設する連接部を釘または挟着金具により連結した大型の背面をバタ材締付金具（２４）と横バタ材（４）によって締結してなる大型型枠（４３）の上端部に、吊もと用具（４５）をボルト締めにより固定し、次いで、控用具の上端部に具備するヒンジ板（３５）を木ネジ等の固定部材により固定し、次いで、前記吊もと用具（４５）に吊上げロープ（４４）を掛止し、次いで、大型型枠（４３）の背面を支持する横バタ材（４）を取外す、その取外した横バタ材（４）を手作業により、大型型枠（４３）の背面に用意されたバタ材仮置き金具（４６）（特開１９９７−
２９１７０１号公報参照）に移動する。
そこで、コンクリート躯体とバタ材締付金具（２４ｃ）により、型枠（１a）を挟み込むバタ材締付金具（２４ｃ）を取外すことで大型型枠（４３）とコンクリート躯体との分離が可能となる。
そして、大型型枠（４３）下端部の敷バタ材を固定する固定用具を解除し、次いで、大型型枠（４３）の上部を強く叩き出すことで大型型枠（４３）は分離することになる。そして、ガイド車（４７）を図１１に示す既打設コンクリート天端出角に置きコンクリート釘等の固定部材で仮止し、そして、吊上げ機械により所定の位置まで吊上げて据え付ける移設工法が採用されている。
もって、大型型枠（４３）の背面にバタ材仮置き金具（４６）が用意されたことで型枠解体時に横バタ材（４）を足場（５０）上に置かなくてよいので作業通路が安全であり、また、大型型枠（４３）と一緒に横バタ材（４）を吊上げて移動する利点がある。
しかし、重くて長い横バタ材（４）の取外し取付け作業を足場（５０）上で行うことは容易でなく、作業を煩雑にする欠点がある。
【先行技術文献】
【特許文献】
【００１０】
【特許文献１】特開２０００−２７４３４号公報
【特許文献２】特開２００４−２１１４８８号公報
【特許文献３】特開２００５−３３０６６０号公報
【特許文献４】特開２００５−６１１２６号公報
【特許文献５】特開２００８−１１５５９１号公報
【特許文献６】特公１９９４−０３５７５６号公報
【特許文献７】特開１９９７−２９１７０１号公報
【特許文献７】特公４３２３５６３号公報
【非特許文献】
【００１１】
【非特許文献１】マルイの建設パーツ総合カタログＮＯ.９・丸井産業株式会社発行
【非特許文献２】株式会社建設安全センター発行「新訂・建築工事計画設置届作成の手引き」
【発明の概要】
【発明が解決しようとする課題】
【００１２】
以下図１〜図９を参照して説明する。
【００１３】
前述の諸点に鑑み、対向するコンクリート型枠間にコンクリートを流し込みコンクリート固化後の作業において、セパレータ両端部の雄ネジにコーン（コーンカップに雌ネジと雄ネジを要するネジ接合軸が嵌着する。）を螺止固定し、前記コーンの雄ネジを型枠せき板（２）に設けられたセパレータ貫通用の孔に嵌挿し、型枠せき板（２）（コンパネ等。）に突出する前記ネジ接合軸の雄ネジにバタ材締付金具を螺止固定し、型枠（１a）背部を支持する横バタ材（４）をナット（１０ａ）あるいはクサビ（１０ｂ）を用いて締付固定する方法が一般的であり、その方法では、前記コーンの雄ネジが型枠せき板（２）に絡み付き型枠解体を困難にする。
そのため、バタ受け部材（１１）にバタ材締付軸部Ａ型（６ａ）またはバタ材締付軸部Ｂ型（６ｂ）を固定し、前記バタ受け部材（１１）が型枠せき板（２）に固定することでセパレータ（１８）のネジ回し作業を容易にし、該セパレータ（１８）の空転を防止する、そして、コンクリート打設後、前記型枠（１a）の反対側の型枠（１ｂ）を支持する横バタ材（４）とバタ材締付金具（２４ａ）またはバタ材締付金具（２４ｂ）を取外し、型枠解体をする前に型枠（１a）と型枠（１ｂ）を残置した状態で該セパレータ（１８）を回転させて抜取ることを可能にする。
【００１４】
また、前記バタ受け部材（１１）の先端部に横バタ材（４）を締付けるクサビ（１０ｂ）の先端部を支持する開先口（２７ａ）を設け、前記開先口（２７ａ）の口元部（２７ｂ）によりクサビ（１０ｂ）の先端部を安定的に支持することで下の横バタ材（４）を省略することができ、かつ、前記バタ受け部材（１１）の垂直部（１２）に型枠せき板（２）に固定する固定孔（１５）を設ける。
【００１５】
セパレータ抜取り式の大型型枠移設工法にあって、足場（４２）側の大型型枠（３１）をバタ材締着金具Ａ型（５ａ）またはバタ材締着金具Ｂ型（５ｂ）を用いて組立てた型枠、すなわち、横バタ材（４）と複数枚の型枠が一体となる大型型枠（３１）を躯体コンクリート固化後、対向する型枠間を支持するセパレータ（１８）を抜取ることで、コンクリート躯体から前記大型型枠（３１）が分離する、分離した該大型型枠（３１）を上部階あるいは水平部（１３）の所定の位置に一括して移設することにある。
【課題を解決するための手段】
【００１６】
前述記載するバタ材締着金具Ａ型（５ａ）は、バタ材締付軸部Ａ型（６ａ）がバタ受け部材（１１）に固定され、バタ材締着金具Ｂ型（５ｂ）は、バタ材締付軸部Ｂ型（６ｂ）がバタ受け部材（１１）に固定された該バタ材締着金具Ａ型（５ａ）またはバタ材締着金具Ｂ型（５ｂ）が型枠（１a）に固定されることでセパレータ（１８）のネジ回し作業を容易にし、該セパレータ（１８）の空転を防止する。
【００１７】
前記バタ受け部材（１１）は、所定の長さを有す平鋼を、該平鋼の厚み側が略Ｌ字形状になるように折り曲げ、図５に示すように垂直部（１２）と水平部（１３）を形成し、前記垂直部（１２）に前記セパレータ（１８）の雄ネジ（１９）が貫通する孔（１４）を設け、その孔（１４）の上部および下部に型枠せき板（２）に固定する略長孔瓢箪形状の固定孔（１５）を設け、前記垂直部（１２）下方から直角に延長する水平部（１３）を設け、前記水平部（１３）に横バタ材（４）が載置する、その載置された横バタ材（４）の滑り落ちを防止するための折曲突起（１６）を末端部に形成し、かつ、横バタ材（４）の締付にクサビ（１０ｂ）を打込むことで、下方に移動するクサビ（１０ｂ）の先端を受入れるための略コ字形状の開先口（２７ａ）を、該開先口（２７ａ）の口元部（２７ｂ）は下方に移動したクサビ（１０ｂ）の先端を支持するように形成し、そして、前記バタ受け部材（１１）のセパレータ（１８）が貫通する孔（１４）芯と、横バタ材（４）を締付ける図１に示すバタ材締付軸部Ａ型（６ａ）または図２に示すバタ材締付軸部Ｂ型（６ｂ）の頭部（７）の軸心が合致するように溶着固定する、詳しくは、バタ受け部材（１１）のセパレータ（１８）が貫通する孔（１４）芯と頭部（７）先端に成型された鍔（８）の円軸心を合致させて溶着固定する。
【００１８】
前記バタ材締付軸部Ａ型（６ａ）は、所定の長さを有す、丸鋼軸の頭部（７）先端部にセパレータ（１８）の雄ネジと螺合する雌ネジを形成し、その後退部に、型枠（１a）の背部に取り付く横バタ材（４）を押圧する座金（９）を介して横バタ材（４）を締付けるためのナット（１０ａ）と螺合する雄ネジを形成し、その雄ネジにナット（１０ａ）を螺着し、末端部はナット（１０ａ）の外れ防止の圧搾突起を形成する。
そして、前記バタ材締付軸部Ａ型（６ａ）の頭部（７）先端に鍔（８）を設け、該鍔（８）の円軸心と
前記バタ受け部材（１１）に設けられたセパレータ（１８）が貫通する孔（１４）心と合致させて溶着固定する。
【００１９】
前記バタ材締付軸部Ｂ型（６ｂ）は、所定の長さを有す、丸鋼軸の頭部（７）にセパレータ（１８）の雄ネジと螺合する雌ネジを形成し、その後退部に、型枠（１a）の背部に取り付く横バタ材（４）を押圧するクサビ（１０ｂ）を嵌挿するスリット状の透孔（２６）を形成する。
そして、前記バタ材締付軸部Ｂ型（６ｂ）の頭部（７）先端に鍔（８）を設け、該鍔（８）の円軸心と前記バタ受け部材（１１）に設けられたセパレータ（１８）が貫通する孔（１４）心と合致させて溶着固定する。
【００２０】
そして、前記バタ材締付軸部Ａ型（６ａ）またはバタ材締付軸部Ｂ型（６ｂ）に固定されたバタ受け部材（１１）を足場（４２）側の型枠（１a）に固定し、該型枠（１ａ）を配列し、釘または挟着金具等により連結し、前記締付軸部Ａ型（６ａ）の上下に横バタ材（４）を配置し、座金（９）を介して前記バタ材締付軸部Ａ型（６ａ）に螺着するナット（１０ａ）を締付ける、あるいはバタ材締付軸部Ｂ型（６ｂ）の上下に横バタ材（４）を配置し、クサビ（１０ｂ）を打圧して締付けることで、上下の横バタ材（４）は型枠（１ａ）に締着する形態である。
つまり、バタ材締着金具Ａ型（５ａ）は、バタ受け部材１１にバタ材締付軸部Ａ型（６ａ）が固定され、バタ材締着金具Ｂ型（５ｂ）は、バタ受け部材１１にバタ材締付軸部Ｂ型（６ｂ）が固定される。
そして、大型型枠（３１）は、複数枚連設した型枠（１a）に固定されたバタ材締着金具Ａ型（５ａ）またはバタ材締着金具Ｂ型（５ｂ）により横バタ材（４）が締結されてなる。
【００２１】
足場上での作業による大型型枠移設工法にあって、複数枚連設した型枠（１a）に固定されたバタ材締着金具Ａ型（５ａ）またはバタ材締着金具Ｂ型（５ｂ）により横バタ材（４）が締結されてなる前記大型型枠（３１）を、該大型型枠（３１）の躯体コンクリート固化後、前記大型型枠（３１）の反対側の型枠（１ｂ）の背部を支持する横バタ材（４）とバタ材締付金具（２４ａ）またはバタ材締付金具（２４ｂ）を取外し、対向する型枠間を支持するセパレータ（１８）を、該セパレータ（１８）に挿着されたコーンカップ（２１）と鞘管（２２）を残置した状態で抜取ることでコンクリート躯体から前記大型型枠（３１）が分離する、その分離した大型型枠（３１）を上部階あるいは水平部の所定の位置に吊り上げて移設することを特徴とする。
【発明の効果】
【００２２】
前述記載する本発明のバタ材締着金具Ａ型（５ａ）は、バタ受け部材（１１）にバタ材締付軸部Ａ型（６ａ）が固定され、バタ材締着金具Ｂ型（５ｂ）は、バタ受け部材（１１）にバタ材締付軸部Ｂ型（６ｂ）が固定され、前記バタ受け部材（１１）は型枠せき板（２）に固定されることで、セパレータ（１８）のネジ回し作業を容易にし、該セパレータ（１８）の空転を防止する。
それにより、型枠（１a）に固定されたバタ材締着金具Ａ型（５ａ）またはバタ材締着金具Ｂ型（５ｂ）に、コーンカップ（２１）と鞘管（２２）が挿着されたパレータ（１８）を螺止固定して組立てた型枠、すなわち、対向する型枠（１a）と型枠（１ｂ）の型枠解体作業において、コンクリート固化後、型枠（１ｂ）背部に取り付く横バタ材（４）とバタ材締付金具（２４ａ）またはバタ材締付金具（２４ｂ）を取外し、横バタ材（４）が締着した型枠（１a）と型枠（１ｂ）およびコーンカップ（２１）と鞘管（２２）を残置した状態で前記セパレータ（１８）の抜取りを可能にする。
そのため、セパレータ（１８）を抜取ることで型枠せき板（２）から突出して絡み付くセパレータ（１８）の雄ネジ（１９）が除去されることで型枠（１a）と型枠（１ｂ）はコンクリート躯体から分離する。
もって、障害となる型枠せき板（２）に絡むセパレータ（１８）の雄ネジ（１９）が除去されることで、型枠解体が容易となり作業能率が向上する、また、型枠せき板（２）の損傷が減る。
【００２３】
また、前記バタ材締着金具Ａ型（５ａ）またはバタ材締着金具Ｂ型（５ｂ）にバタ受け部材（１１）が固定されているため、重くて長い横バタ材（４）の取付け取外し作業を複数人で行う必要がなく、一人作業が可能となり、安全で能率的になる。
【００２４】
足場上での作業による大型型枠移設工法にあっては、バタ材締着金具Ａ型（５ａ）またはバタ材締着金具Ｂ型（５ｂ）と横バタ材（４）が締着した前記大型型枠（３１）のコンクリート打設固化後において、対向する型枠間を支持するセパレータ（１８）を抜取ることでコンクリート躯体から分離する、分離した該大型型枠（３１）を一括して上部階あるいは水平部の所定の位置に吊り上げて移設することを可能にする。
もって、躯体外壁面と足場建地の間が２５０ミリ以下になるように設計される足場（４２）上での作業において、重くて長い横バタ材（４）の取付け取外し作業を省略することができ、安全性、工期短縮、コスト削減等の利点がある。
【００２５】
さらに、コンクリート型枠の解体が容易になることからコンクリート型枠の破損が少なくなり転用回数が拡大し、熱帯雨林を必要とされるコンクリート型枠せき板に使用するラワン合板の使用量が削減されることで森林の保護あるいは地球環境問題に役立。
【図面の簡単な説明】
【００２６】
【図１】図１は本発明にかかるバタ材締着金具の使用状態を示した断正面図である。
【図２】図２は本発明にかかるバタ材締着金具の使用状態を示した断正面図である。
【図３】図３は図１、図２のＡ−Ａ線断面を示したバタ受け部材の右側図面である。
【図４】図４は図３のバタ受け部材を上方に移動した状態図面である。
【図５】図５は図３のＢ−Ｂ線断面を拡大して示したバタ受け部材の断正面図である。
【図６】図６は図３のＣ−Ｃ線断面を拡大して示したバタ受け部材の断平面図である。
【図７】図７は本発明にかかる大型型枠の部材配置を示した説明用の斜視図である。
【図８】図８は本発明にかかる大型型枠移設工法の移設状態を示した説明図である。
【図９】図９は図８の一部分を拡大して示した説明図である。
【図１０】図１０は従来のバタ材締付金具の使用状態の一例を示した断正面図である。
【図１１】図１１は従来工法による大型型枠移設工法の一例を示した説明図である。
【図１２】図１２は図１１の一部分を拡大して示した説明図である。
【発明を実施するための形態】
【００２７】
本発明のバタ材締着金具Ａ型５ａまたはバタ材締着金具Ｂ型５ｂを型枠１aに固定し、コーンカップ２１と鞘管２２が挿着されたセパレータ１８を前記バタ材締着金具Ａ型５ａまたはバタ材締着金具Ｂ型５ｂに螺止固定する作業において、対向する型枠１aの反対側の型枠１ｂに締結された横バタ材４とバタ材締付金具２４ａまたはバタ材締付金具２４ｂを取外し、型枠１aと型枠１ｂを残置した状態でセパレータ１８の抜取りを可能にする、詳しくは、横バタ材（４）が締着した型枠１aと型枠１ｂおよびコーンカップ２１と鞘管２２を残置した状態でセパレータ１８の抜取りを可能にする。
もって、型枠解体時にセパレータ１８の突出する雄ネジ１９が型枠せき板２に絡み付き型枠が剥がれ難いが前記セパレータ１８を抜取ることで、型枠せき板２はコンクリート躯体から分離され、型枠解体作業が容易となる。
【００２８】
また、コンクリート固化後、型枠１aの横バタ材４を締結した状態で、該型枠１aの反対側の型枠１ｂの背部を支持する横バタ材４とバタ材締付金具２４ａまたはバタ材締付金具２４ｂを取外し、コーンカップ２１と鞘管２２を残置した状態で、セパレータ１８を回転させて抜取ることで、複数枚連設した大型型枠３１がコンクリート躯体から分離され、前記大型型枠３１を一括して、吊上げて移設することが可能となる。
【実施例】
【００２９】
以下、図１〜図９を参照し、本発明のバタ材締着金具Ａ型５ａまたはバタ材締着金具Ｂ型５ｂおよびセパレータ抜取り式の大型型枠移設工法に関する形態、あるいは実施状態について説明する。
型枠１aおよび型枠１ｂは、コンパネあるいは合成樹脂によるせき板２に固定する縁リブ材３に桟木を用い、横バタ材４は、円筒状の単管または角鋼管を使用することを前提に説明する。
また、型枠１aと型枠１ｂは同じ物であり、型枠１aは足場４２側であり、その相手側が型枠１ｂである。
これにつき、型枠および横バタ材４の材質、形状等は、多種あることを理解されたい。
（例えば、鋼製の型枠、鋼製Ｌ字形状の縁リブ材３、木質系の横バタ材４などが有る。）
【００３０】
図１、図２は、コンクリート構造物を形成する型枠、すなわち、対向する型枠１ａと型枠１ｂを支持するセパレータ１８と、前記セパレータ１８に挿着されるコーンカップ２１と鞘管２２、足場４２側の型枠１aに取り付くバタ受け部材１１にバタ材締付軸部Ａ型６ａが固定されたバタ材締着金具Ａ型５ａ、および、バタ受け部材１１にバタ材締付軸部Ｂ型６ｂが固定されたバタ材締着金具Ｂ型５ｂと、足場４２側の反対側の型枠１ｂに取り付くバタ材締付金具２４ａおよびバタ材締付金具２４ｂとバタ受け金具２５の使用状態を示した断正面図である。
【００３１】
図１に示すバタ材締着金具Ａ型５ａは、バタ材締付軸部Ａ型６ａが固定されたバタ受け部材１１は型枠せき板２に固定する。
前記バタ材締付軸部Ａ型６ａは、所定の長さを有す丸鋼の先端頭部７にセパレータ１８の雄ネジと螺合する雌ネジを形成し、その後退部に、型枠１aの背部に取り付く横バタ材４を押圧する座金９を介して横バタ材４を押圧するためのナット１０ａと螺合する雄ネジを形成し、その雄ネジにナット１０ａを螺着し、末端部はナット１０ａの外れ防止の圧搾突起を形成する。
そして、前記バタ材締付軸部Ａ型（６ａ）の頭部（７）先端に鍔（８）を設け、該鍔（８）の円軸心と
前記バタ受け部材（１１）に設けられたセパレータ（１８）が貫通する孔（１４）心と合致させて溶着固定する。
【００３２】
図２に示すバタ材締着金具Ｂ型５ｂは、バタ受け部材１１にバタ材締付軸部Ｂ型６ｂに固定し、前記バタ受け部材１１は型枠１aに取り付く。
前記バタ材締付軸部Ｂ型６ｂは、所定の長さを有す丸鋼の先端頭部７にセパレータ１８の雄ネジと螺合する雌ネジを形成し、その後退部に、型枠１aの背部に取り付く横バタ材４を押圧するクサビ１０ｂを嵌挿するスリット状の透孔２６を形成し、末端の残部でクサビ１０ｂの背部を支持部する。
そして、前記バタ材締付軸部Ｂ型（６ｂ）の頭部（７）先端に鍔（８）を設け、該鍔（８）の円軸心と前記バタ受け部材（１１）に設けられたセパレータ（１８）が貫通する孔（１４）心と合致させて溶着固定する。
【００３３】
前記バタ材締着金具Ａ型５ａとバタ材締着金具Ｂ型５ｂの相違点は、バタ材締着金具Ａ型５ａは横バタ材４をナット１０ａによる締付固定する方法に対して、バタ材締付軸部Ｂ型６ｂは横バタ材４をクサビ１０ｂによる締付固定する方法にした点にある。
【００３４】
前記バタ材締付金具２４ａは、バタ材締着金具Ａ型５ａのバタ材締付軸部Ａ型６ａに固定されたバタ受け部材１１を除去した形態である。
【００３５】
前記バタ材締付金具２４ｂは、バタ材締着金具Ｂ型５ｂのバタ材締付軸部Ｂ型６ｂに固定されたバタ受け部材１１を除去した形態である。
【００３６】
前記セパレータ１８は、所定の長さを有す丸鋼軸部の両端部に設けた雄ネジ１９の先端部にボックスドライバー等の回し工具が嵌着する多角形状の係合部２０を形成し、そのセパレータ１８にコーンカップ２１と鞘管２２が挿着される。
【００３７】
前記コーンカップ２１は、止水栓を嵌着するため躯体面の一部を盗み取る用具であり、合成樹脂により、外観が円錐台形状で、内部は末口部の一部を残し略Ｕ字形状に刳り貫かれ、円軸の中心部にセパレータ１８が挿通する貫通口を形成し、元口部の縁周内方に掛止タブ２３を成型する、もって、前記コーンカップ２１の掛止タブ２３は型枠解体後、該掛止タブ２３にバールを掛けて抜取ることを可能にしたことと、前記コーンカップ２１は、
セパレータ１８とバタ材締付軸部Ａ型６ａまたはバタ材締付軸部Ｂ型６ｂを接続する間接部材を省略し、前記バタ材締付軸部Ａ型６ａまたはバタ材締付軸部Ｂ型６ｂに直接セパレータ１８を螺止固定するため前記コーンカップ２１の取付け取外し作業が簡便になる。
【００３８】
前記鞘管２２は、セパレータ１８を保護するためであり前記セパレータ１８の挿通に支障がない程度の口径とし、材質は特に限定しないが、労務費削減のため再生材等の安価な物を使用し、埋殺すことが望ましい。  
【００３９】
図３〜図６に示すバタ受け部材１１について説明する。
前記バタ受け部材（１１）は、所定の長さを有す、平鋼を略Ｌ字形状に屈曲形成した、垂直部（１２）と水平部（１３）からなる、前記垂直部（１２）にセパレータ（１８）の貫通する孔（１４）を設け、前記孔（１４）の上部および下部に略長孔瓢箪形状の固定孔（１５）を形成する、該固定孔（１５）は、ボルトまたは木ネジ等の固定部材（１７）により型枠せき板（２）に固定される。
前記略長孔瓢箪形状の固定孔（１５）は、前記バタ受け部材（１１）を上方に移動することで取外しを可能にするため下方の孔は、固定部材（１７）の頭部が出入りできる大きさにする。
そして、前記垂直部（１２）から延長してなる水平部（１３）に横バタ材（４）を載置し、該横バタ材（４）の背部に、前記横バタ材（４）を締付けるクサビ（１０ｂ）を嵌入打圧することで下方に移動するクサビ（１０ｂ）の先端を受入れる開先口（２７ａ）を略コ字形状に切取り落とし、前記開先口（２７ａ）の末端部に前記横バタ材（４）の転落を防止するための折曲突起（１６）を形成する、前記クサビ（１０ｂ）の先端を受入れる開先口（２７ａ）の口元部（２７ｂ）は、横バタ材（４）とクサビ（１０ｂ）が擦りあう面側と前記口元部（２７ｂ）が接触するようにする。
すなわち、下の横バタ材（４）が無くてもバタ受け部材（１１）の口元部（２７ｂ）がクサビ（１０ｂ）の加圧に対して抵抗することで前記クサビ（１０ｂ）は安定を維持する。
もって、図２に示す、クサビ（１０ｂ）を使用して横バタ材４を締付固定する場合は、下の横バタ材４の省略が可能になるため作業が簡便化される。
【００４０】
そして、前記バタ受け部材１１は、バタ材締付軸部Ａ型６ａまたはバタ材締付軸部Ｂ型６ｂと固定し、該バタ受け部材１１を型枠１aに固定することでセパレータ１８のネジ回し作業において、前記セパレータ１８の空転を防止する。
【００４１】
前記バタ受け部材１１の固定孔１５を略長孔瓢箪形状に形成したことは、取外しを簡単にするためであり、型枠せき板２に固定する固定部材（１７）であるボルトのナットを緩め、図４に示すようにバタ受け部材１１を上方に移動し、バタ材締着金具Ａ型５ａまたはバタ材締着金具Ｂ型５ｂを手前に引くと外れる、すなわち、ナットを外さなくても取外すことができる。
【００４２】
図７〜図９あるいは図１〜図６を参照してセパレータ抜取り式の大型型枠移設工法の一例について説明する。
対向する躯体コンクリート型枠の足場４２側の型枠１aにあって、該型枠１aが複数枚連設する連接部を釘または挟着金具により固定し、その背面に固定された前記バタ材締着金具Ａ型５ａのバタ材締付軸部Ａ型６ａの上下に横バタ材４を配置し、該横バタ材４の背部に座金９を介して前記バタ材締付軸部Ａ型６ａに具備るナット１０ａを回転締付により横バタ材４を押圧固定し、または、バタ材締着金具Ｂ型５ｂのバタ材締付軸部Ｂ型６ｂの上下に横バタ材４を配置し、該横バタ材４の背部をクサビ１０ｂの打圧により横バタ材４を締着してなる大型型枠３１を、該大型型枠３１の上端部に吊上げロープ３２を掛止するための吊もと用具３３をボルト締めにより固定し、次いで、前記大型型枠３１の上端部に控用具３４の上部に固着するヒンジ板３５を木ネジ等の固定部材１７により固定する。
そして、吊もと用具３３に、吊上げロープ３２を掛止した後、前記大型型枠３１の反対側の型枠１ｂの背面に固定する上下の横バタ材４とバタ材締付金具２４ａまたはバタ材締付金具２４ｂとバタ受け金具２５を取外し、型枠間を支持するセパレータ１８をボックスドライバー等の回し工具により回転させて抜取る、すなわち、セパレータ１８を抜取ることで前記大型型枠３１はコンクリート躯体から分離する。
【００４３】
そして、前記大型型枠３１の下端部の敷バタ材３６を固定する固定用具３７を解除し、次いで、大型型枠３１の上端部を少し押出し、ガイド車３８を図９に示す既打設コンクリート天端出角に置き、コンクリート釘等の固定具で仮止めする、次いで、吊上げ機械により吊上げる、その時、該大型型枠３１の移動中は、大型型枠３１の安定を支持するため前記控用具３４により誘導する、次いで、大型型枠３１が所定の位置に到着すると、手早くガイド車３８を取外す、次いで、既打設コンクリート天端出角に形成する打継目地３９と大型型枠３１の下端部に固着する打継目地棒３９ｂとを合致させ、大型型枠３１の下端部を支持する敷端材３６を固定用具３７により締付固定する、次いで、大型型枠３１の垂直調整をおこない、前記控用具３４の下端部に固着するベースプレート４１をボルト等の固定具により固定する、次いで、吊上げロープ３２を取外すことで大型型枠移設作業は完了となる。
もって、横バタ材４が締着した大型型枠３１をクレーン等の吊上げ機械を用いて移設することにより、足場上での作業において、重くて長い横バタ材４の取付け取外し作業を省略することを可能にする。
【００４４】
それから、大型型枠３１の移設後、配筋を行い、次いで、前記鞘管２２とコーンカップ２１が挿着されたセパレータ１８をバタ材締着金具Ａ型５ａまたはバタ材締着金具Ｂ型５ｂに螺止固定し、次いで、大型型枠３１反対側の型枠１ｂを前記鞘管２２とコーンカップ２１が挿着されたセパレータ１８の雄ネジ１９を、該型枠１ｂせき板２に設けられたセパレータ１８の貫通孔に嵌挿し、配列しながら前記セパレータ１８の雄ネジ１９にバタ受け金具２５を介してバタ材締付金具２４ａまたは、バタ材締付金具２４ｂを取付け、横バタ材４を配置し、バタ材締付金具２４ａのナット１０aにより締付けて固定する、または、バタ材締付金具２４ｂのクサビ１０ｂを打圧により締付けて固定することで対向する型枠の締結が完了する。
【００４５】
前記控用具３４の上端部に固着するヒンジ板３５および下部に固着するベースプレート４１は上下自在に動く一般的な形態である。また、大型型枠３１の上部に取り付く吊もと用具３３および大型型枠３１下端部の敷端材３６を固定する固定用具３７は以前から一般的に使用されている形態であり説明を省略する。
【産業上の利用可能性】
【００４６】
バタ材締着金具Ａ型５ａまたはバタ材締着金具Ｂ型５ｂを使用することで、型枠解体時に障害となるセパレータ１８の抜取りが可能になることと、バタ材締着金具Ａ型５ａまたはバタ材締着金具Ｂ型５ｂにバタ受け部材１１が固定していることにより、安全で能率良く作業ができる。
また、足場４２側のセパレータ抜取り式の大型型枠移設工法は、バタ材締着金具Ａ型５ａまたはバタ材締着金具Ｂ型５ｂを使用することで、型枠１aが複数枚連設する大型型枠３１の、該大型型枠３１の背部を支持する横バタ材４を締着した状態でコンクリート躯体から分離させ、大型型枠３１を一括して移設することで足場４２上での作業を省略する。
もって、バタ材締着金具Ａ型５ａまたはバタ材締着金具Ｂ型５ｂを使用することで、施工の安全性、経済性等を有利にする。
【符号の説明】
【００４７】
１a  型枠
１ｂ  型枠
２  せき板
３  縁リブ材
４  横バタ材
５  バタ材締着金具
５ａ  バタ材締着金具Ａ型
５ｂ  バタ材締着金具Ｂ型
６ａ  バタ材締付軸部Ａ型
６ｂ  バタ材締付軸部Ｂ型
７  頭部
８  鍔
９  座金
１０ａ  ナット
１０ｂ  クサビ
１１  バタ受け部材
１２  垂直部
１３  水平部
１４  孔
１５  固定孔
１６  折曲突起
１７  固定部材
１８  セパレータ
１９  雄ネジ
２０  係合部
２１  コーンカップ
２２  鞘管
２３  掛止タブ
２４ａ  バタ材締付金具
２４ｂ  バタ材締付金具
２４ｃ  バタ材締付金具
２５  バタ受け金具
２６  透孔
２７ａ  開先口
２７ｂ  口元部
２８  セパレータ
２９  コーン
３０  ネジ接合軸
３１  大型型枠
３２  吊上げロープ
３３  吊もと用具
３４  控用具
３５  ヒンジ板
３６  敷バタ材
３７  固定用具
３８  ガイド車
３９a  打継目地
３９ｂ  打継目地棒
４０  天バ目地棒
４１  ベースプレート
４２  足場
４３  大型型枠
４４  吊上げロープ
４５  吊もと用具
４６  バタ材仮置き金具
４７  ガイド車
４８a  打継目地
４８ｂ  打継目地棒
４９  天バ目地
５０  足場
【図１】
2011184951.tif 000003
【図２】
2011184951.tif 000004
【図３】
2011184951.tif 000005
【図４】
2011184951.tif 000006
【図５】
2011184951.tif 000007
【図６】
2011184951.tif 000008
【図７】
2011184951.tif 000009
【図８】
2011184951.tif 000010
【図９】
2011184951.tif 000011
【図１０】
2011184951.tif 000012
【図１１】
2011184951.tif 000013
【図１２】
2011184951.tif 000014